(57)【要約】【課題】検定封印の不正を発見しやすく、組み立てが容易で、封印部の破損恐れのない電子式電力量計の封印構造を提供する。【解決手段】電力量の測定を行う電力測定手段１と、電力測定手段１と接続された端子ボックス２と、電力表示窓３ｃを備え、前記電力測定手段の周囲を覆う第１のカバー３と、前記端子ボックスの周囲を覆う第２のケースカバー４と、前記第１のカバーに設けた封印ネジと封印キャップとから成る検定封印部５と、前記第２のカバーに設けた封印ネジと封印キャップとから成る電力封印部６、７とを備え、前記検定封印部５及び電力封印部６、７の形状を前記夫々の封印キャップと嵌合する凹形状に成形し、夫々の封印部が前記第１のカバー及び第２のカバー表面から突出しないようにしたことを特徴とする。【選択図】  図１
2004245704.tif 000002
【特許請求の範囲】
【請求項１】
電力量の測定を行う電力測定部と、
電源供給側から負荷側に至る電線を中継するとともに、前記電力測定部と接続された端子ボックスと、
電力表示窓を備え、前記電力測定部の周囲を覆う第１のカバーと、
前記端子ボックスの周囲を覆う第２のケースカバーと、
前記第１のカバーに設けた前記電力測定部を封印する封印ネジと封印キャップとから成る検定封印部と、
前記第２のカバーに設けた記端子ボックスを封印する封印ネジと封印キャップとから成る電力封印部とを
備え、
前記検定封印部の形状を前記封印キャップと嵌合する凹形状とし、前記電力測定部を、前記第１のカバー表面から前記封印ネジによって前記端子ボックスに締め付け、封印キャップを被せて検定封印し、前記第２のカバーに設けた電力封印部の形状を前記封印キャップと嵌合する凹形状とし、前記第２のカバーの表面から前記封印ネジによって前記端子ボックスに締め付け、封印キャップを被せて電力封印し、前記検定封部、前記電力封印部が前記第１のカバー及び第２のカバー表面から突出しないようにしたことを特徴とする電力量計。
【請求項２】
前記第１のカバーの後面設けた逆Ｕ字型の吊り下げ部を、取り付け壁に設けられた金具に係合し、前記第１の端子カバーと前記端子ボックスとを挿通する取り付けネジで壁に取り付けるようにしたことを特徴とする請求項１項に記載の電力量計。
【請求項３】
前記第１のカバーと前記第２のカバーとは、夫々が箱型で嵌合するように成形されるとともに、嵌合部が前記端子ボックスとの当接面とも嵌合するように成形され、嵌合部の重なり部分は、前記第１のカバーが外側になるように成形したことを特徴とする請求項１または請求項２に記載の電力量計。
【請求項４】
電力量の測定を行う電力測定部と、
電源供給側から負荷側に至る電線を中継するとともに、前記電力測定部と接続された端子ボックスと、
電力表示窓を備え、前記電力測定部の周囲を覆う第１のカバーと、
前記端子ボックスの周囲を覆う第２のケースカバーと、
前記第１のカバーに設けた前記電力測定部を封印する封印ネジと封印キャップとから成る検定封印部とを
備え、
前記第１のカバーの封印部形状を前記封印キャップと嵌合する凹形状とし、前記第１のカバーの検定封印部において、前記第１のカバー表面から前記封印ネジによって前記端子ボックスに締め付け、さらに封印キャップを被せて、前記検定封印部が前記第１のカバー表面から突出しないようにしたことを特徴とする電力量計。
【発明の詳細な説明】
【０００１】
【発明の属する技術分野】
本発明は、電力量計に係わり、特にその電力測定部を封印する構造を改良した電力量計に関する。
【０００２】
【従来の技術】
わが国の電力量計の封印は、計量法にしたがって施行されており、日本電気計器検定所で行われる検定封印と電力量計を需要家に取り付け配線等を終了した時に行う電力封印とがある。
【０００３】
検定封印は、各需要家で計量される電力量に格差を生じないように各電子式電力量計の精度を同一とするために、電力量計の内部計測回路の調整を行い、この後、外部から強制的にいたずら等されない様に行うものである。電力封印は、検定封印された電力量計が取り付け後電力線の配線等が変えられて不正な計量がされない様に行うものである。
【０００４】
さらに、計量法に基づき、検定の有効期間を示す検定証印ラベルが電力量計の封印カバーに張り付けられる。
【０００５】
図３に示すような誘導型電力量計では、本体１１の両側の耳部１２において、検定封印が行われ、また電力供給線等の配線を行う端子カバー１３の上面において電力封印１４及び１５が行われ、検定証印ラベル２ａが封印カバー１１に張られている。
【０００６】
これらの封印１２、１４、１５の具体的な構造は、例えば、電力封印１４で説明すれば、図４に示す様に封印用掛端１６を端子カバー１３に設け、この封印用掛端１６と端子カバー１３を本体１１に締め付ける封印ネジ１７の封印穴１８との間に封印線１９を挿通し、この封印線１８を輪状に形成して封印を行っている。
【０００７】
これに対して、電子式電力量計は、外形が内部の形状に影響されず小型で所望の形状にすることが可能であることから、図５に示す形状が知られている（例えば、特許文献１参照。）。
【０００８】
この封印構造は、検定封印機構１１６つまり電子式電力量計本体１１０に設けられた封印用掛具の封印穴と電子電力量計本体１１０に対して締付けを行う封印ネジとに封印線が挿通されて検定封印が行なわれ、この検定封印の行なわれた電子式電力量計本体１１０に、少なくとも表示器１１１および検定封印機構１１６の表示窓１２４を形成した装飾ケース１２３が設けられる。
【０００９】
電子式電力量計本体１１０の表面には検定証印ラベル１１６ａが張り付けられ、検定封印機構１１６及び検定証印ラベル１１６ａは表示窓１２４を透して観察される。
【００１０】
一方、電力封印機構１２５、１２６、つまり装飾ケース１２３に設けられた封印用掛具の封印穴と、電力量計本体１１０に対して締付けを行う封印ネジ１３２とに図示しない封印線が挿通されて電力封印が行なわれ、この電力封印機構１２５、１２６上に装飾キヤツプ１３８が設けられることが知られている。
【００１１】
また、他の電子式電力量計としては、組み立て工程をシンプルにするため、部品相互を嵌め込んで組み立てられる電子式電力計の構造が知られている（例えば、特許文献２参照。）。
【００１２】
【特許文献１】
特公平５−１１８６０号公報
【００１３】
【特許文献２】
特許第３２９７２７６号公報
【００１４】
【発明が解決しようとする課題】
電力量計の搬送は、電力量計の製造メーカから検定業者へ送られ、そこで精度検定がなされ、その後、電力メーカに搬送され、さらに電力メーカから工事業者送られて需要家の所定の箇所に取り付けられる。
【００１５】
特許文献１に記載の誘導型電力量計の封印構造は、ケースカバーの耳部に設けた封印機構が設けられるため、封印部がケースからはみ出す凸形状となり、このように搬送機会の多い電力量計は、搬送時等において封印部及び封印キャップに破損の恐れがある。
【００１６】
また、特許文献２で知られている、電力封印するケースカバーによって検定封印機構部を２重封印する構造においては、検定封印と検定証印ラベルがケースカバーの内側に存在するので、表示窓の外から封印部を覗くことになる。したがって、直接封印線等を見ることが出来ないので、何らかの理由で電力封印前に改造がされた場合には、検定封印の状態を見誤る恐れがある。
【００１７】
本発明は上記問題点を解決するためになされたもので、検定封印の改造等を見誤る恐れや、封印部の破損恐れがなく、容易に組み立てることが可能な封印構造を備えた電力量計を提供することを目的とする。
【００１８】
【課題を解決するための手段】
上記目的を達成するために、本発明の電力量計は、電力量の測定を行う電力測定手段と、電源供給側から負荷側に至る電線を中継するとともに、電力測定手段と接続された端子ボックスと、電力表示窓を備え、前記電力測定手段の周囲を覆う第１のカバーと、前記端子ボックスの周囲を覆う第２のケースカバーと、前記第１のカバーに設けた前記電力測定手段を封印する封印ネジと封印キャップとから成る検定封印部と、前記第２のカバーに設けた記端子ボックスを封印する封印ネジと封印キャップとから成る電力封印部とを備え、前記検定封印部の形状を前記封印キャップと嵌合する凹形状とし、前記電力測定手段を、前記第１のカバー表面から前記封印ネジによって前記端子ボックスに締め付け、封印キャップを被せて検定封印し、前記第２のカバーに設けた電力封印部の形状を前記封印キャップと嵌合する凹形状とし、前記第２のカバーの表面から前記封印ネジによって前記端子ボックスに締め付け、封印キャップを被せて電力封印し、前記検定封部、前記電力封印部が前記第１のカバー及び第２のカバー表面から突出しないようにしたことを特徴とする。
【００１９】
したがって、本発明によれば、端子ボックスに固定した一つの電力測定部を２つのカバーを嵌合させるとともに、検定封印、電力封印を夫々のカバーで独立して封印できる構造としたので、部品点数の少ない組み立て性に優れた構造が可能になるとともに、輸送時の取り扱いが容易な、破損しにくい電力量計を提供することができる。
【００２０】
【発明の実施の形態】
以下、本発明による実施の形態について図１乃至図２を参照して説明する。図１は、本発明の実施の形態を電子式電力量計に適用した構成及び構造を説明する図である。同図において電子式電力量計は、ホール素子等による電力測定回路及び電力量表示のための表示回路を内蔵する電力測定部１と、電源供給側と負荷側の電線を中継し、前記電力測定部１と接続固着される端子ボックス２と、前記電力測定部１の周囲を覆い、前面に電力表示等の表示窓３ａを持つ検定封印カバー３及び前記端子ボックス２の中継部を覆う電力封印カバー４とから構成される。
【００２１】
検定封印は、同図検定封印カバー３の検定封印部５において、検定封印カバー３の右側面の封印ネジ５ａと封印キャップ５ｂと、図示しない左側面の封印ネジ及び封印キャップとによって、電力測定部１の周囲を検定封印カバー３で覆うとともに、検定封印カバー３の両側面の上から端子ボックス２に固着封印するように形成されている。
【００２２】
この固着は、端子ボックス２の両側面に設けたネジ穴２ｃと、検定封印部５のネジ穴５ｃとを一致させて検定封印カバー３の上から封印ネジ５ａが締め付けられ、図示しない左側面部と合わせて左右２箇所でなされ、さらに、固着された封印ネジ５ａの上部から封印キャップ５ｂを被せることによってで検定封印が行われるようになっている。
【００２３】
ここで、検定封印部５と封印キャップ５ｂの形状は互いに嵌合するように、また、更に検定封印カバー３を嵌合させた後に、端子ボックス２を嵌合させ封印キャップ５ｂを端子ボックス２の外側から取り付けた時、検定封印カバー３の側面に凹凸が形成されないようにしている。
【００２４】
検定封印された有効期限を印す検定証印ラベル５ｃは、検定封印カバー３の例えば、表面下部に張り付けられるようになっている。
【００２５】
一方、電力封印について説明する。同図電力封印カバー４は左右正面に段部を設けて形成した電力封印部６、７、並びに、電源供給側と負荷側の夫々の通線開口部４ａ、４ｂを備えている。そして、端子ボックス２の中継部２ａの周囲を、電力封印カバー４によって覆うとともに、電力封印カバー４を電力封印部６、７部で封印ネジ６ａ、７ａ及び封印キャップ６ｂ、７ｂとによって、電力封印カバー４の上面から端子ボックス２の取り付け穴６ｃ、７ｃに固着封印するように形成されている。
【００２６】
更に詳述すれば、この固着は、端子ボックス２のネジ穴６ｃ、７ｃと、電力封印カバー４のネジ穴４ｃ及び端子ボックス２のネジ穴６ｃ、７ｃとを合わせ２箇所を封印ネジ６ａ、７ａによって締め付けることによってなされ、封印ネジ６ａ、７ａの上部から封印キャップ６ｂ、７ｂを被せることによって電力封印がされるようになっている。
【００２７】
また、電力封印部６、７と封印キャップ６ｂ、７ｂの形状は互いに嵌合するように、検定封印カバー４の表面に凹凸のないように形成されている。
【００２８】
次に、この電子式電力量計の需要家においての取り付けの例について、図２を参照して説明する。同図（ａ）は、取り付け壁１０に取り付けた時の側断面図である。
【００２９】
同図（ｂ）は同図（ａ）のｘ−ｘ矢視図で、取り付け壁１０にネジ込んだ取り付けネジ１０ａに吊り下げるため、検定封印カバー３の後面上部に逆Ｕ字の取り付け部１０ｂを形成し、この取り付け部１０ｂの切り欠け部に取り付けネジ１０ａを嵌め込む。
【００３０】
検定封印カバー３の後面下部は、検定封印カバー３に設けた穴３ｃ１、３ｃ２と、端子ボックス２の取り付け穴８ｃ、９ｃを一致させ、この両穴に挿通しされる取り付けネジ８ａ、９ａを締め付けることによって取り付け壁１０に固着される。
【００３１】
また、検定封印カバー３と電力封印カバー４は、需要家における取り付け環境に長期間耐えられるような耐候性を有する材料、例えば、ポリカーカーボネートを選定し、且つ、内部電力測定部１の電子回路や表示部を保護し、長期間にわたって密封性、防水性を確保できる構造とする。
【００３２】
同図（ｃ）は、同図（ａ）Ａ部の検定封印カバー３と電力封印カバー４及び端子ボックス２の側断面図である。検定封印カバー３と電力封印カバー４が端子ボックス２に当接する部分において互いに嵌合するように成形し、且つ、図示しないパッキンやＯリングを嵌合部の周囲に布設することによって、組み立てが容易なシール構造が可能となる。
【００３３】
表示窓３ａは通常ガラスが使用されているが、透明なポリカーボネート等によって行うことも可能である。
【００３４】
次に、上記の封印構造の作用について再び図１乃至図２を参照して説明する。先ず、本電子式電力量計が所定の検定精度内であるか否かの検定が行われる。このとき、検定封印カバー３及び電力封印カバー４は取り外されている。
【００３５】
検定が終了すると、図示しない銘板等が表示部３ａ前面から見える位置に取り付けられるとともに、検定封印カバー３と電力測定部１を取りつけた端子ボックス２を嵌め合わせ、封印ネジ５ａによって、検定封印カバー３の両側面から端子ボックス２の取り付け穴２ｃに締め付けされ、この封印ネジ５ａの上から封印キャップ５ｂが２箇所、両側面とも被せられる。そして、検定封印カバー３の表面に検定証印ラベル５ｃが張り付けられる。
【００３６】
検定封印された電子式電力量計は、需要家に取り付けられる。そして、取り付けネジ８ａ、９ａで取り付け箇所に固着され、端子ボックス２に供給電力線等の配線が完了すると、端子ボックス２に電力封印カバー４が被せられ、封印ネジ６ａ、７ａによって端子ボックス２の取り付け穴４ｃに締め付けされ、この封印ネジ６ａ、７ａの上から封印キャップ６ｂ、７ｂが被せられる。
【００３７】
このように上記実施の形態においては、電子式電力量計の端子ボックス２に固着した電力測定部１を、表示窓を備えた検定封印カバー３で覆い、且つ、この検定封印カバー３の両側面２箇所の検定封印部において、封印ネジによって端子ボックス２の両側面に締め付け、封印ネジに封印キャップを被せ検定封印を行う。
【００３８】
そして、この検定封印された電子式電力量計の端子ボックス２に供給電力線等を取り付け後、電力封印カバー４を検定封印カバー３とが嵌合するように被せて、電力封印カバー４の電力封印部６、７の２箇所を封印ネジ６ａ、７ａによって端子ボックス２に締め付け、封印ネジ６ａ、７ａに封印キャップ６ｂ、７ｂ被せ電力封印を行う。
【００３９】
したがって、このような構造においては、封印箇所が直接目視できるので封印を見落とす恐れがない。また、封印カバーと封印部の表面の凹凸が無いので、外観も損ねず搬送時に破損の恐れも少ない。
【００４０】
需要家における取り付けも、吊り下げネジと取り付けネジ３本で行える。さらに、検定封印カバー３と電力封印カバー４とを嵌合させる構造としたので、成型によるカバー製作が行いやすく、シンプルで組み立て性も良くなる。材料の選定も自由度が増す。
【００４１】
なお、本発明は上記実施の形態に限定されるものでなく、その主旨を逸脱しない範囲で変形することも可能である。例えば、検定封印や電力封印の箇所は適宜変更することが可能である。
【００４２】
【発明の効果】
以上説明したように、本発明によれば、端子ボックスに固定した電力測定部を対向する両方向からカバーを嵌合させるとともに、検定封印、電力封印を夫々のカバーで独立して封印できる構造としたので、部品点数が少なく組み立て性に優れた構造が可能になる。また、検定封印、電力封印の箇所が直接目視出来るので封印状況を確認しやすく、搬送時の取り扱いが容易で破損しにくい電力量計を提供することができる。
【図面の簡単な説明】
【図１】本発明の実施の形態による構成、構造の説明図。
【図２】電子式電力量計の据付け図。
【図３】従来の誘導型電力量計の構造の説明図。
【図４】検定封印機構部の詳細図。
【図５】従来の電子式電力量計の構造説明図。
【符号の説明】
１  電力測定部
２  端子ボックス
３  検定封印カバー
３ａ  表示窓
３ｃ１、３ｃ２  取り付け穴
４  電力封印カバー
５  検定封印部
５ａ  封印ネジ
５ｂ  封印キャップ
５ｃ  検定封印ラベル
６、７  電力封印部
６ａ、７ａ  封印ネジ
６ｂ、７ｂ  封印キャップ
６ｃ、７ｃ  取り付け穴
８、９、１０  取り付けネジ
８ｃ、９ｃ  取り付け穴
１０  取り付け壁
１０ｂ  取り付け部
１０ｃ  取り付けネジ
１１  本体
１２  耳部
１３  端子カバー
１４、１５  電力封印
１６  封印用掛端
１７  封印ネジ
１８  封印穴
１９  封印用掛線
１１０  電子式電力量計本体
１１１  表示器
１１２  端子ブロック
１１６  検定封印機構
１１６ａ  検定証印ラベル
１２３  装飾ケース
１２５  電力封印機構
１３２  封印ネジ
１３８  封印キャップ
【図１】
2004245704.tif 000003
【図２】
2004245704.tif 000004
【図３】
2004245704.tif 000005
【図４】
2004245704.tif 000006
【図５】
2004245704.tif 000007